【手続補正書】
【提出日】平成20年8月28日(2008.8.28)
【手続補正１】
【補正対象書類名】特許請求の範囲
【補正対象項目名】全文
【補正方法】変更
【補正の内容】
【特許請求の範囲】
【請求項１】
所定の信号を、この信号の位相を示す第１の位相情報に基づいて出力する複数の信号源から出力される信号間の位相を制御する位相制御装置であって、
前記複数の信号源ごとに設けられ、前記信号源から出力される信号の位相を示す第２の位相情報を格納する複数の位相情報格納手段と、
前記位相情報格納手段によって格納された前記第２の位相情報に基づいて、前記複数の信号源のうち少なくとも１つの信号源から出力される信号の位相を変えて前記複数の信号源から出力される信号間の位相差を制御する位相制御手段と
を具備することを特徴とする信号源の位相制御装置。
【請求項２】
前記複数の信号源は、前記信号源から出力される信号の位相をシフトさせる位相オフセット調整手段を有し、前記第２の位相情報の位相分解能は、前記位相オフセット調整手段の位相分解能よりも高いことを特徴とする請求項１記載の信号源の位相制御装置。
【請求項３】
前記位相制御手段は制御対象の信号源から出力される信号の値が零となる時点で前記信号源の出力を停止させ、所定の期間経過後に、再び前記制御対象の信号源から前記所定の信号を出力させるように制御することを特徴とする請求項１乃至請求項２のうちいずれか一項に記載の信号源の位相制御装置。
【請求項４】
前記位相制御手段は前記信号源に対して制御信号を入力してから実際に制御信号に従った信号を出力するまでに必要とする所定の時間分だけ早く前記信号源に対し制御を開始することを特徴とする請求項１乃至請求項３のいずれか一項に記載の信号源の位相制御装置。
【請求項５】
前記複数の信号源は、ダイレクト・ディジタル・シンセサイザであり、信号源からサイン波を出力することを特徴とする請求項１乃至請求項４のうちいずれか一項に記載の信号源の位相制御装置。
【請求項６】
前記位相制御装置は、前記位相制御装置及び前記複数の信号源の各部に動作の基準となるクロック信号を供給するために前記クロック信号を発生させるクロック信号発生手段を具備し、
前記位相情報格納手段は、前記クロック信号によりカウント動作をする位相カウンタを具備し、
前記位相制御手段は、
前記制御対象の信号源の信号を停止させる制御信号を送出する第１の位相タイミング情報が格納された第１のレジスタと、
再び前記制御対象の信号源の信号を出力する第２の位相タイミング情報が格納された第２のレジスタと、
前記複数の位相情報格納手段のうち、基準となる信号源に対応する位相情報格納手段の前記位相カウンタから出力される位相情報と前記第１のレジスタに格納された第１の位相タイミング情報とを比較し、一致した場合に制御対象の信号源に対して信号を停止させる制御信号を送出し、前記位相カウンタから出力される位相情報と前記第２のレジスタに格納された第２の位相タイミング情報とを比較し、一致した場合に制御対象の信号源に対して信号を出力する制御信号を送出する制御信号送出手段と
を具備することを特徴とする請求項１乃至請求項５のうちいずれか一項に記載の信号源の位相制御装置。
【請求項７】
所定の信号を、この信号の位相を示す第１の位相情報に基づいて出力する複数の信号源と、
前記複数の信号源ごとに設けられ、前記信号源から出力される信号の位相を示す第２の位相情報を格納する複数の位相情報格納手段と、
前記位相情報格納手段によって格納された前記第２の位相情報に基づいて、前記複数の信号源のうち少なくとも１つの信号源から出力される信号の位相を変えることにより前記複数の信号源から出力される信号間の位相差を制御する位相制御手段と
を具備することを特徴とする発振装置。
【請求項８】
前記複数の信号源は、前記信号源から出力される信号の位相をシフトさせる位相オフセット調整手段を有し、前記第２の位相情報の位相分解能は、前記位相オフセット調整手段の位相分解能よりも高いことを特徴とする請求項７記載の発振装置。
【請求項９】
前記位相制御手段は制御対象の信号源から出力される信号の値が零となる時点で前記信号源の出力を停止させ、所定の期間経過後に、再び前記制御対象の信号源から前記所定の信号を出力させるように制御することを特徴とする請求項７乃至請求項８のうちいずれか一項に記載の発振装置。
【請求項１０】
前記位相制御手段は前記信号源に対して制御信号を入力してから実際に制御信号に従った信号を出力するまでに必要とする所定の時間分だけ早く前記信号源に対し制御を開始することを特徴とする請求項７乃至請求項９のうちいずれか一項に記載の発振装置。
【請求項１１】
前記複数の信号源は、ダイレクト・ディジタル・シンセサイザであり、サイン波を出力することを特徴とする請求項７乃至請求項１０のうちいずれか一項に記載の発振装置。
【請求項１２】
前記位相制御手段は、前記位相制御手段および前記信号源の各部に動作の基準となるクロック信号を発生させるクロック信号発生手段を具備し、
前記位相情報格納手段は、前記クロック信号によりカウント動作をする位相カウンタを具備し、
前記位相制御手段は、
前記制御対象の信号源の信号を停止させる制御信号を送出する第１の位相タイミング情報が格納された第１のレジスタと、
再び前記制御対象の信号源の信号を出力する第２の位相タイミング情報が格納された第２のレジスタと、
前記複数の位相情報格納手段のうち、基準となる信号源に対応する位相情報格納手段の前記位相カウンタから出力される位相情報と前記第１のレジスタに格納された第１の位相タイミング情報とを比較し、一致した場合に制御対象の信号源に対して信号を停止させる制御信号を送出し、前記位相カウンタから出力される位相情報と前記第２のレジスタに格納された第２の位相タイミング情報とを比較し、一致した場合に制御対象の信号源に対して信号を出力する制御信号を送出する制御信号送出手段と
を具備することを特徴とする請求項７乃至請求項１１のうちいずれか一項に記載の発振装置。
【請求項１３】
所定の信号を、この信号の位相を示す第１の位相情報に基づいて出力する信号源から出力される信号の周波数を制御する周波数制御装置であって、
前記信号源から出力される信号の位相を示す第２の位相情報を格納する位相情報格納手段と、
前記位相情報格納手段によって格納された前記第２の位相情報に基づいて、位相が３６０度の点で周波数の変更が行われるように前記信号源に制御信号を送出する周波数制御手段と
を具備することを特徴とする信号源の周波数制御装置。
【請求項１４】
前記周波数制御手段は前記信号源に対して制御信号を入力してから実際に制御信号に従った信号を出力するまでに必要とする所定の時間分だけ早く前記信号源に対し制御を開始することを特徴とする請求項１３記載の信号源の周波数制御装置。
【請求項１５】
前記複数の信号源は、ダイレクト・ディジタル・シンセサイザであり、サイン波を出力することを特徴とする請求項１３又は請求項１４に記載の信号源の周波数制御装置。
【請求項１６】
前記制御装置は、各部に動作の基準となるクロック信号を発生させるクロック信号発生手段を具備し、
前記位相情報格納手段は、前記クロック信号によりカウント動作をする位相カウンタを具備し、
前記周波数制御手段は、
前記信号源の信号の周波数を変更する制御信号を送出する位相タイミング情報が格納されたレジスタと、
前記位相カウンタから出力される位相情報と前記レジスタに格納された位相タイミング情報とを比較し、一致した場合に制御対象の信号源に対して周波数を変更する制御信号を送出する制御信号送出手段と
を具備することを特徴とする請求項１３乃至請求項１５のうちいずれか一項に記載の信号源の周波数制御装置。
【請求項１７】
所定の信号を、この信号の位相を示す第１の位相情報に基づいて出力する信号源と、
前記信号源から出力される信号の位相を示す第２の位相情報を格納する位相情報格納手段と、
前記位相情報格納手段によって格納された前記第２の位相情報に基づいて、前記所定の信号の位相が３６０度の点で周波数の変更が行われるように前記信号源に制御信号を送出する周波数制御手段と
を具備することを特徴とする発振装置。
【請求項１８】
クロック信号に基づいて所定の信号を出力する複数の信号源から出力される信号間の位相を制御する位相制御装置であって、
前記複数の信号源のうち、所定の信号源に対して、所定の期間前記クロック信号の供給を停止し、その後再び、クロック信号を供給することで前記複数の信号源から出力される信号間の位相を制御する位相制御手段と
を具備することを特徴とする信号源の位相制御装置。
【請求項１９】
クロック信号に基づいて所定の信号を出力する複数の信号源と、
前記複数の信号源のうち、所望の信号源に対して、所定の期間前記クロック信号の供給を停止し、その後再び、クロック信号を供給することで前記複数の信号源から出力される信号間の位相を制御する位相制御手段と
を具備することを特徴とする発振装置。
【請求項２０】
所定の信号を出力する複数の信号源から出力される信号間の位相差を制御する位相制御方法であって、
前記複数の信号源のうち、制御対象の信号源の信号出力が零となる時点で前記信号源の出力信号を停止させる第１の工程と、
前記制御対象の信号源の信号出力が零となってから所定の期間経過後に、再び前記制御対象の信号源から前記所定の信号を出力させる第２の工程と
を具備することを特徴とする位相制御方法。
【請求項２１】
前記第１の工程は、前記信号源に対して制御信号を入力してから実際に制御信号に従った信号を出力するまでに必要とする所定の時間分だけ早く前記信号源に対し出力の停止を指示する制御信号を送出する工程を含み、
前記第２の工程は、前記所定の時間分だけ早く、前記制御対象の信号源から前記所定の信号の出力を指示する制御信号を送出する工程を含む
ことを特徴とする請求項２０記載の位相制御方法。
【請求項２２】
所定の信号を出力する信号源から出力される信号の周波数を制御する周波数制御方法であって、
前記信号源から出力される信号の位相が３６０度の点で周波数の変更が行われるように前記信号源に制御信号を送出する工程を含むことを特徴とする周波数制御方法。
【請求項２３】
前記工程は、前記信号源に対して制御信号を入力してから実際に制御信号に従った信号を出力するまでに必要とする所定の時間分だけ早く前記信号源に対し周波数の変更を指示する制御信号を送出する工程を含むことを特徴とする請求項２２記載の周波数制御方法。